(57)【特許請求の範囲】
【請求項１】
表示パネルと、配線板と、該表示パネルおよび該配線板の双方に接続された配線フィルムと、該表示パネルの裏面に照明光を照射する照明部と、該表示パネルと照明部を支持するハウジングと、該表示パネルと該配線フィルムおよび該配線板を収納し該表示パネルの表示部を露呈させる開口を設けた金属ケースと、該表示パネルに接続された該配線フィルムの接続部と該金属ケースとの間に挿設されたパッキングを具え、該パッキングが圧縮可能な弾性部材を金属にてなる心材に被着されてなり、該金属心材が該照明部の光源ランプの給電線として該光源ランプに接続されてなること、を特徴とする表示装置。
【請求項２】
前記パッキングが所望形状に整形された請求項１に記載の表示装置において、曲げられたコーナ部分で心材に被着された弾性部材が除去されてなること、を特徴とする表示装置。
【発明の詳細な説明】
【０００１】
【発明の属する技術分野】
本発明はパッキングと表示装置、特に液晶表示パネル等を使用した表示装置と、その液晶表示パネルと装置筐体間に挿設されるパッキングに関する。
【０００２】
【従来の技術】
図８は従来の液晶表示装置の概略を示す断面図であり、表示装置１は液晶表示パネル２と照明部３をハウジング４が支持し、液晶表示パネル２と照明部３の裏面に配設されたプリント配線板５は、ＩＣチップ６を搭載しコ字形状に屈曲された配線フィルム７により、電気的に接続されている。
【０００３】
液晶表示パネル２の表示部を露呈させる開口が設けられた金属ケース８と、液晶表示パネル２との間にはパッキング９が挿設され、パッキング９は液晶表示パネル２と配線フィルム７との接続部を抑えるようになる。
【０００４】
照明部３は光源ランプ（蛍光ランプ）１０と導光体１１を具え、ランプ１０を点灯させた発光は導光体１１を伝播し、液晶表示パネル２の裏面を均一に照らすようになる。
【０００５】
全体がシリコンゴム等の軟質材にてなり圧縮可能な従来のパッキング９は、一般に厚さ１ｍｍで幅が２〜３ｍｍ程度の帯状であり、パッキング９に被着した粘着剤で液晶表示パネル２に貼着される。
【０００６】
なお、液晶表示パネル２は、所定の電極等が形成された一対の基板１２と１３の間に液晶が充填されている。
【０００７】
【発明が解決しようとする課題】
以上説明した表示装置１において、軟質で細いため取扱い難いパッキング９の貼着は、煩わしい作業の一つであり、表示装置１の小型化、特に携帯用機器に用いられる等の理由で小型化が進む表示装置におけるパッキング９の貼着作業は、一層煩わしさが増しつつある。
【０００８】
また、小型化と共に要求される装置の薄型化によって、表示装置１を構成するハウジング４等の部材も弱小化して全体の強度が低下し、反りや捩じれが生じ易くなるが、装置の小型化および薄型化を損なうことなく、前記反りや捩じれが生じても液晶表示パネル２が損傷されないようにする、補強対策が要望されるようになった。
【０００９】
さらに、表示装置１において液晶表示パネル２は、配線板５に形成された回路とＩＣチップ６によって構成される駆動回路に駆動され、その駆動回路からノイズが発生するが、そのノイズが金属ケース８の開口縁と液晶表示パネル２との電気的間隙から放出されないようにする、防御手段が要望されるようになった。
【００１０】
【課題を解決するための手段】
表示装置等に挿設する際の取扱いを容易にする本発明のパッキングは、硬質の心材に弾性部材が被着されてなることであり、さらに該心材として金属または硬質樹脂を使用する。
【００１１】
組み立て作業特にパッキングの挿設を容易化すると共に、反りや捩じれに対する強度を改善する本発明第１の表示装置は、表示パネルと、配線板と、該表示パネルおよび該配線板の双方に接続された配線フィルムと、該表示パネルと該配線フィルムおよび該配線板を収納し該表示パネルの表示部を露呈させる開口を設けた金属ケースと、該表示パネルに接続された該配線フィルムの接続部と該金属ケースとの間に挿設されたパッキングを具え、該パッキングが硬質の心材に弾性部材が被着されてなることであり、さらに前記パッキングの心材が金属にてなり、前記配線板に形成されたグランド端子に該心材が電気的に接続された構成である。
【００１２】
組み立て作業を容易化すると共に反りや捩じれに対する強度を改善する本発明第２の表示装置は、表示パネルと、配線板と、該表示パネルおよび該配線板の双方に接続された配線フィルムと、該表示パネルの裏面に照明光を照射する照明部と、該表示パネルと照明部を支持するハウジングと、該表示パネルと該配線フィルムおよび該配線板を収納し該表示パネルの表示部を露呈させる開口を設けた金属ケースと、該表示パネルに接続された該配線フィルムの接続部と該金属ケースとの間に挿設されたパッキングを具え、該パッキングが弾性部材を金属にてなる心材に被着されてなり、該金属心材が該照明部の光源ランプの給電線として該光源ランプに接続されてなることであり、さらに前記本発明の第１または第２の表示装置において、予め所望形状に整形された前記パッキングのコーナ部分でその心材に被着された弾性部材が除去された構成である。
【００１３】
前記本発明のパッキングは、弾性部材の機械的強度の軟弱性を心材が補うようになる。従って、所望パターンに沿って配設させるパッキングの取扱いは、心材なしの従来パッキングに比べて極めて容易となり、かつ、例えば液晶表示パネルと金属ケースの間に挿設された本発明のパッキングは、液晶表示パネルと金属ケース等からなり薄形の液晶表示装置の機械的強度を補う作用が生じる。
【００１４】
前記本発明の表示装置は、表示パネルと金属ケースとの間に挿設される従来の心材なしパッキングに変えて、本発明による心材入りパッキングを使用する。従って、パッキングの挿設（貼着）作業は従来のパッキングを使用するものより極めて容易となり、かつ、表示パネルと金属ケースの間に挿設された心材入りパッキングは、表示パネルと金属ケース等からなり薄形の液晶表示装置の機械的強度を補うため、反りや捩じれによる表示パネルの損傷が低減される。
【００１５】
【発明の実施の形態】
図１は本発明の実施例になるパッキングの説明図（その１）、図２は本発明の実施例になるパッキングの説明図（その２）、図３は本発明の実施例装置の概略を示す断面図である。
【００１６】
図１（ａ）において、パッキング２１は金属または硬質樹脂等にてなる硬質の心材２２に、圧縮可能な弾性部材２３を被着し、シリコンゴム等の軟質材にてなる弾性部材２３の下面に粘着剤２４を被着し、液晶表示パネル等の所望物体に被着する前の粘着剤２４には、保護紙２５が貼着されている。
【００１７】
そして、パッキング２１を液晶表示パネル等に被着するには、保護紙２５を剥離し、粘着剤２４をその被着相手に貼着させることになる。
かかるパッキング２１において、例えば直径０．６ｍｍの線状心材２２に被着させた弾性部材２３の断面寸法は、厚さ１ｍｍ，幅２〜３ｍｍ程度であり、パッキング２１は心材２２によって長さ方向に補強されたようになる。
【００１８】
従って、弾性部材２３のみでは長さ方向に形状が定まらない状態であっても、心材２２を備えることで長さ方向の変形が抑制され、かつ、心材２２に金属を使用したとき、心材２２を所望形状に整形する、例えば心材２２をＬ字形やＺ字形または円弧状にすれば、弾性部材２３はその心材２２の形状に沿って心材２２の整形形状を維持させることが可能になる。
【００１９】
ただし、心材２２自体も線状で機械的強度が充分でなく、撓むようになるが、従来の心材なしパッキングに比較し、形状維持性は格段に優れ、液晶表示パネル等への貼着作業を著しく容易にする。
【００２０】
図１（ｂ）において、パッキング２６は金属にてなる心材２７に、圧縮可能な弾性部材２３を被着し、弾性部材２３の下面に粘着剤２４を被着し、液晶表示パネルに被着する前の粘着剤２４には、保護紙２５が貼着されている。
【００２１】
パッキング２６において心材２７は、導電路またはノイズ防止部材として利用するため金属、例えばニッケルめっきを施した銅線を使用し、その長さ方向双方の端部２７ａと２７ｂは、グランド端子等との電気的接続を容易ならしめるため、弾性部材２３から突出させている。
【００２２】
そして、パッキング２６を液晶表示パネル等に被着するには、パッキング２１と同じく保護紙２５を剥離し、粘着剤２４をその被着相手に貼着させて用いることになる。
【００２３】
かかるパッキング２６において心材２７は、パッキング２６をその長さ方向に補強せしめ、液晶表示パネル等への貼着作業を著しく容易にすると共に、心材２７をランプ等の配線に利用したり、ノイズ防止部材として利用可能になる。
【００２４】
図２（ａ）において、パッキング３１は全体がＬ字形であり、金属または硬質樹脂等にてＬ字形に形成した硬質の心材３２の全長に渡って、圧縮可能な弾性部材３３が被着されている。シリコンゴム等の軟質材にてなる弾性部材３３の下面には粘着剤３４を被着し、液晶表示パネル等に被着する前の粘着剤３４には、保護紙３５が貼着されている。
【００２５】
そして、パッキング３１を液晶表示パネル等に被着するには、パッキング２１および２６と同じく保護紙３５を剥離し、粘着剤３４をその被着相手に貼着させることになる。
【００２６】
かかるパッキング３１は、２本のパッキング２１の端部を直角に接続したものに相当し、パッキング２１の前記効果を維持すると共に、２本のパッキング２１を別々に貼着させるより貼着時の作業に優れる。
【００２７】
図２（ｂ）において、パッキング３６は全体がＬ字形であり、金属にてＬ字形に形成した心材３７の直線部分に、圧縮可能な弾性部材３８-1と３８-2を被着し、弾性部材３８-1と３８-2の下面に粘着剤３９-1と３９-2を被着し、液晶表示パネル等に被着する前の粘着剤３９-1と３９-2には、保護紙４０-1と４０-2がそれぞれ貼着されている。
【００２８】
パッキング３６の心材３７は、導電路またはノイズ防止部材として利用するため金属、例えばニッケルめっきを施した銅線を使用し、その長さ方向双方の端部３７ａと３７ｂは、グランド端子等との電気的接続を容易ならしめるため、弾性部材３８から突出させている。
【００２９】
かかるパッキング３６は、２本のパッキング２６の端部を直角に接続したものに相当し、パッキング２１の前記効果を維持し、２本のパッキング２１を別々に貼着させるより貼着時の作業に優れると共に、コーナ部に弾性部材が被着されないため、１本のパッキング２６の中間部を曲げ加工したときその曲げられた部分に発生する弾性部材の脹らみをなくすことができる。
【００３０】
図８と共通部分に同一符号を使用した図３において、表示装置４１は一対の基板１２と１３の間に液晶を充填した液晶表示パネル２と、液晶表示パネル２の下面に照明光を照射する照明部３をハウジング４が支持し、液晶表示パネル２の基板１３の上面に形成された電極端子（図示せず）と照明部３の下面に配設されたプリント配線板５とは、ＩＣチップ６を搭載しコ字形状に屈曲された配線フィルム７により、電気的に接続されている。
【００３１】
液晶表示パネル２の表示部を露呈させる開口が設けられた金属ケース８と、液晶表示パネル２との間にはパッキング２１（または２６または３１または３６）が挿設され、金属ケース８をハウジング４に装着したとき、金属ケース８によって押圧されたパッキング２６は、液晶表示パネル２と配線フィルム７との接続部を抑えるようになる。
【００３２】
照明部３は光源ランプ（蛍光ランプ）１０と導光体１１を具え、ランプ１０を点灯させた発光は導光体１１を伝播し、液晶表示パネル２の裏面を均一に照らすようになる。
【００３３】
図４は図１のパッキングを貼着した液晶表示パネルの斜視図、図５は図２のパッキングを貼着した液晶表示パネルの斜視図、図６は本発明のパッキングをノイズ対策に使用した液晶表示パネルの斜視図、図７は本発明のパッキングをランプの配線に使用した液晶表示パネルの斜視図であり、図４〜７を用いて本発明によるパッキングを使用した液晶表示装置の詳細を説明する。
【００３４】
図４において、金属ケース８（図３参照）を装着する前の液晶表示装置４１-1は、液晶表示パネル２の下側基板１３の２方の周辺部、即ち図の手前の右下がりの周辺部と右上がりの周辺部にそれぞれ複数の配線フィルム７が接続され、それらの配線フィルム７の上にはパッキング２１-1と２１-2、即ち液晶表示パネル２の上側基板１２の手前の右下がり縁に沿うパッキング２１-1と、基板１２の手前の右上がり縁に沿うパッキング２１-2が貼着されている。
【００３５】
パッキング２１-1と２１-2は、図１（ａ）に示すパッキング２１と同一構成のものであり、図示されず硬質の心材（２２）に弾性部材２３-1または２３-2が被着されている。
【００３６】
かかる液晶表示装置４１-1は、心材入りパッキング２１-1と２１-2を使用したことでパッキング貼着作業が容易となり、かつ、金属ケース装着後の機械的強度が改善され、自重および外力による反りや捩じれが低減し、液晶表示パネルの損傷を少なくする。
【００３７】
なお、図４において液晶表示パネル２を支持するハウジング４の一部４-1〜４-5が、液晶表示パネル２の外側に図示されている。
図５において、金属ケース８（図３参照）を装着する前の液晶表示装置４１-2は、液晶表示パネル２の下側基板１３の２方の周辺部、即ち図の手前の右下がりの周辺部と右上がりの周辺部にそれぞれ複数の配線フィルム７が接続され、それらの配線フィルム７の上にはＬ字形パッキング３１、即ち液晶表示パネル２の上側基板１２の手前の右下がり縁と手前の右上がり縁に沿うパッキング３１が貼着されている。
【００３８】
かかる液晶表示装置４１-2は、心材入りパッキング３１を使用したことでパッキング貼着作業が容易となり、かつ、金属ケース装着後の機械的強度が改善され、自重および外力による反りや捩じれが低減し、液晶表示パネルの損傷を少なくする。
【００３９】
なお、図５において液晶表示パネル２を支持するハウジング４の一部４-1〜４-5が、液晶表示パネル２の外側に図示されている。
一部分を拡大して示す図６において、金属ケース８（図３参照）を装着する前の液晶表示装置４１-3は、液晶表示パネル２の下側基板１３の２方の周辺部、即ち図の手前の右下がりの周辺部と右上がりの周辺部にそれぞれ複数の配線フィルム７が接続され、基板１３の右下がりの周辺部に接続した複数の配線フィルム７の上に、金属心入りパッキング２６が貼着されている。
【００４０】
パッキング２６の金属心２７の一方の端部２７ａは、配線板５に形成されたグランド端子５１にはんだ付けされている。
なお、図６において符号４-3は液晶表示パネル２を支持するハウジング４の一部である。
【００４１】
一部分を拡大して示す図７において、金属ケース８（図３参照）を装着する前の液晶表示装置４１-4は、液晶表示パネル２の下側基板１３の２方の周辺部、即ち図の手前の右下がりの周辺部と右上がりの周辺部にそれぞれ複数の配線フィルム（図示されない）が接続され、基板１３の右下がり周辺部に接続した複数の配線フィルムの上に、基板１２の縁に沿って金属心入りパッキング２６が貼着され、基板１３の手前右上がり周辺部に接続した複数の配線フィルムの上に、基板１２の縁に沿ってパッキング２１が貼着されている。
【００４２】
パッキング２６の金属心２７の一方の端部２７ａは、照明ランプ１０の一方の電極１０ａにはんだ付けされており、金属心２７の他方の端部２７ｂおよび照明ランプ１０の他方の電極１０ｂは、照明ランプ１０を点灯する電源装置に接続されるようになる。
【００４３】
なお、図７において符号４-2と４-3は液晶表示パネル２を支持するハウジング４の一部であり、符号４２は照明ランプ１０を収容するケースである。
以上に説明した本発明の表示装置は、本発明のパッキングを液晶表示装置に適用したものである。しかし、本発明のパッキングは液晶表示装置に限定されることなく、即ち液晶表示パネル以外の表示パネル、例えばプラズマディスプレイパネル（ＰＤＰ）を使用する表示装置にも、前記実施例装置と同様に使用し同等の作用効果が得られる。
【００４４】
【発明の効果】
以上説明したように、本発明により硬質心材に弾性部材を被着したパッキングを組み込んだ表示装置は、その組み立て作業が容易化すると共に、反りや捩じれに対する強度が増し表示パネルの損傷が低減され、特にに金属心材のパッキングを使用した表示装置では、電気配線の一部を省略可能とするまたは、ノイズを放出しないようにする新たな効果が加わるようになる。
【図面の簡単な説明】
【図１】  本発明の実施例になるパッキングの説明図（その１）
【図２】  本発明の実施例になるパッキングの説明図（その２）
【図３】  本発明の実施例装置の概略を示す断面図
【図４】  図１のパッキングを貼着した液晶表示パネルの斜視図
【図５】  図２のパッキングを貼着した液晶表示パネルの斜視図
【図６】  本発明のパッキングをノイズ対策に使用した液晶表示パネルの斜視図
【図７】  本発明のパッキングをランプの配線に使用した液晶表示パネルの斜視図
【図８】  従来の液晶表示装置の概略を示す断面図
【符号の説明】
２  液晶表示パネル
３  照明部
４  ハウジング
５  配設板
７  配線フィルム
８  金属ケース
１０  ランプ
２１、２１-1、２１-2、２６、３１、３６  パッキング
２２、２７、３２、３７  硬質心材
２３、２８、３３、３８-1、３８-2  弾性部材
２７ａ、２７ｂ、３７ａ、３７ｂ  心材の端部
４１、４１-1、４１-2、４１-3、４１-4  液晶表示装置
５１  グランド端子
【図１】
0003668760.tif 000002
【図２】
0003668760.tif 000003
【図３】
0003668760.tif 000004
【図４】
0003668760.tif 000005
【図５】
0003668760.tif 000006
【図６】
0003668760.tif 000007
【図７】
0003668760.tif 000008
【図８】
0003668760.tif 000009